(57)【特許請求の範囲】
【請求項１】
内容液の充填密封後に、内部に減圧が発生する２軸延伸ブロー成形された合成樹脂製壜体であって、高い保形性を有する筒状の胴部の下端に連設された底部を、中央に位置して前記胴部内に陥没したドーム状の陥没壁部と、該陥没壁部の外側に位置した、略平リング板状をした平坦壁部と、該平坦壁部の外側に位置し、外周端を湾曲して立ち上がるヒール壁部を介して胴部に連設した脚壁部と、から構成し、該脚壁部と平坦壁部との境界部に、前記胴部内に陥没する周溝を設け、少なくとも該周溝の内側の壁部分で構成される反転壁部を、反転変形可能に形成した合成樹脂製壜体。
【請求項２】
脚壁部からヒール壁部にかけての部分に、放射状に等中心角毎に位置する、複数の横断溝を設けた請求項１記載の合成樹脂製壜体。
【請求項３】
反転壁部を、周溝の内側の壁部分から平坦壁部にかけての部分とした請求項１または２記載の合成樹脂製壜体。
【請求項４】
脚壁部の接地面である下面と、平坦壁部の下面との間に、内容液の重量作用による反転壁部の撓み変形に伴う、前記平坦壁部の下降変位寸法よりも大きい段差を設けた請求項１〜３のいずれか１つに記載の合成樹脂製壜体。
【請求項５】
陥没壁部に、放射状に等中心角毎に位置する複数の補強リブを設けた請求項１〜４のいずれか１つに記載の合成樹脂製壜体。
【請求項６】
円筒状の胴部に、複数の補強周溝を平行に周設した請求項１〜５のいずれか１つに記載の合成樹脂製壜体。
【発明の詳細な説明】
【技術分野】
【０００１】
本発明は、合成樹脂製壜体、特には、高い保形性を持つ胴部を有し、内容液の充填密封後に、内部に減圧が発生する、２軸延伸部ロー成形された合成樹脂製壜体の底部の構造に関するものである。
【背景技術】
【０００２】
内容液の充填密封後に、内部に減圧が発生する合成樹脂製壜体にあっては、この内部に発生した減圧を吸収して、減圧による不正変形が、壜体に発生しないようにしている。
【０００３】
この減圧吸収機能部分は、減圧により一定した形態で陥没変形し易い部分として、壜体の胴部または底部に、他部と区画して形成され、この減圧吸収機能部分の、予定された一定の陥没変形により、壜体の外観に不体裁な変形が現出されないようにしている。
【特許文献１】特開平０８−０４８３２２号公報
【０００４】
この減圧吸収機能部分の内、壜体の胴部に形成されたものは、壜体の外観として目立つことから、これを嫌う場合とか、また減圧吸収機能部分そのものが撓み変形し易い部分であるので、胴部に高い保形性を付与したい場合には、壜体の底部だけに減圧吸収機能部分を設ける必要がある。
【０００５】
上記従来技術に開示された底部の減圧吸収機能部は、底部の接地面部の内側に位置する錐筒体の筒壁を、蛇腹壁構造にした構成となっていて、この蛇腹壁の伸び変形による、底部の陥没変位により、壜体内の減圧を吸収している。
【発明の開示】
【発明が解決しようとする課題】
【０００６】
しかしながら、上記した従来技術にあっては、底部の減圧吸収機能部が、単純な蛇腹壁構造となっているだけであるので、壜体内への陥没変位と同様に、下方への突出変位が可能となり、このため充填した内容液の重量により、底部中央部分が下方に突出してしまう不都合が発生する恐れがある、と云う問題があった。
【０００７】
また、２軸延伸ブロー成形壜体の場合、底部の中心部分は無延伸部分となって、他部と比べて肉厚な部分となっていると共に、この底部の中心部分に近い部分も、充分に延伸されないことにより、比較的肉厚に成形される部分であるため、成形された蛇腹状の減圧吸収機能部が、適正に伸び変形することができる保証がない、と云う問題があった。
【０００８】
そこで、本発明は、上記した従来技術における問題点を解消すべく創案されたもので、耐内圧性を有する底部の中央部分を、その形状および姿勢を略一定に保った状態で、壜体の胴部内に陥没させることにより、壜体内の減圧を吸収することを技術的課題とし、もって安定した自立機能を維持した状態で、安定して確実な減圧吸収作用を得ると共に、大きな減圧吸収能力を発揮することを目的とする。
【課題を解決するための手段】
【０００９】
本発明の２軸延伸ブロー成形された合成樹脂製の壜体は、筒状の胴部に高い保形性を付与し、この胴部の下端に連設された底部を、中央に位置した陥没壁部と、この陥没壁部の外側に位置した平坦壁部と、この平坦壁部の外側に位置して接地面を形成する脚壁部と、この脚壁部の外側に位置して胴部との接続部分を形成するヒール壁部と、から構成したものとなっている。
【００１０】
底部の脚壁部と平坦壁部との境界部には、胴部内に陥没する周溝が設けられており、少なくともこの周溝の内側の壁部分で構成される反転壁部を、発生した減圧により反転変形可能に形成している。
【００１１】
胴部は、大きな肉厚で成形するとか、適当な補強手段を施す等により、充分に高い保形性を有する筒状体として構成されている。
【００１２】
底部の陥没壁部は、ドーム状に構成されており、また平坦壁部は、略平リング板状となっており、そして脚壁部と胴部とを連設するヒール壁部は、脚壁部から胴部に向かって湾曲して立ち上がる、湾曲壁構造となっている。
【００１３】
反転壁部は、胴部内に陥没する周溝の内側の壁部分で構成されており、この反転壁部の内側に位置している、陥没壁部と平坦壁部とから成る内側部分に大きな減圧が働くと、反転壁部が反転変形して、この陥没壁部と平坦壁部とから成る内側部分を胴部内に陥没変位させ、これにより大きな減圧吸収作用が発揮される。
【００１４】
この減圧吸収作用は、脚壁部の内側に位置する、陥没壁部と平坦壁部とから成る内側部分を胴部内に陥没変位させるものであるので、脚壁部が変形することは殆どない。
【００１５】
なお、本発明による壜体は、２軸延伸ブロー成形壜体であるので、底部の脚壁部付近は、他の部分に比べて肉薄に成形し易いのであるが、脚壁部に近接する反転壁部を、特定して肉薄に成形することは、予め、壜体の一次成形品であるプリフォームの肉厚コントロールをしておくことにより、容易に達成することができる。
【００１６】
本発明の別の壜体は、脚壁部からヒール壁部にかけての部分に、放射状に等中心角毎に位置する、複数の横断溝を設けたものとなっている。
【００１７】
この複数の横断溝は、脚壁部が位置する底部周端部分の筒構造部分に対して、一般的な「割り溝」として作用することになり、これにより陥没壁部と平坦壁部とから成る内側部分が胴部内に陥没変位した際に、脚壁部が、その内側をわずかに陥没変位させ、これにより上記した内側部分の陥没変位を起こし易くしていると共に、これにより発揮される減圧吸収量を大きくしている。
【００１８】
また、本発明の別の壜体は、反転壁部を、周溝の内側の壁部分から平坦壁部にかけての部分としたものとなっている。
【００１９】
反転壁部を、周溝の内側の壁部分だけではなく、これに隣接する平坦壁部部分まで延長することにより、反転壁部自体の反転変形が行ない易くなり、かつ陥没壁部と平坦壁部とから成る内側部分の陥没変位量を大きくすることができる。
【００２０】
また、本発明の別の壜体は、脚壁部の接地面である下面と、平坦壁部の下面との間に、内容液の重量作用による反転壁部の撓み変形に伴う、平坦壁部の下降変位寸法よりも大きい段差を設けたものとなっている。
【００２１】
段差を、内容液の重量作用による反転壁部の撓み変形に伴う、平坦壁部の下降変位寸法よりも大きくすることにより、例え内容液の重量により反転壁部に撓み変形が発生したとしても、平坦壁部の下面が脚壁部の下面よりも下位に位置することがなく、これにより脚壁部の安定した「座」機能を発揮させることができる。
【００２２】
それゆえ、内容液を充填してからキャップで密閉するまでの間、および開封して減圧が消滅した状態時に、壜体の安定した自立機能を得ることができる。
【００２３】
また、本発明の別の壜体は、陥没壁部に、放射状に等中心角毎に位置する複数の補強リブを設けたものとなっている。
【００２４】
陥没壁部に複数の補強リブを設けることにより、陥没壁部の耐熱性および耐内圧性を高めることができ、これにより機械的強度が充分ではない反転壁部に対する、陥没壁部側からの変形力の悪影響を殆ど無くすことができる。
【００２５】
また、本発明の別の壜体は、円筒状の胴部に、複数の補強周溝を平行に周設したものとなっている。
【００２６】
胴部を、円筒状とすると共に、複数の補強周溝を平行に周設して構成することにより、胴部を効果的に補強することができ、これにより胴部の保形性が高められる。
【発明の効果】
【００２７】
本発明は、上記した構成となっているので、以下に示す効果を奏する。
本発明の壜体にあっては、底部の中央部に位置する陥没壁部と平坦壁部とから成る内側部分が胴部内に陥没変位し、これにより減圧吸収作用が発揮されるので、大きな減圧吸収量を、確実に得ることができる。
【００２８】
また、減圧吸収作用は、脚壁部の内側に位置する、陥没壁部と平坦壁部とから成る内側部分を胴部内に陥没変位させるものであるので、脚壁部が変形することが殆どなく、これにより減圧吸収作用が発揮されても、脚壁部による「座」は、安定して維持される。
【００２９】
脚壁部からヒール壁部にかけての部分に、放射状に等中心角毎に位置する、複数の横断溝を設けたものにあっては、複数の横断溝が、一般的な「割り溝」として作用して、陥没壁部と平坦壁部とから成る内側部分の陥没変位を起こし易くしていると共に、発揮される減圧吸収量を大きくしているので、円滑に大きな減圧吸収量を得ることができる。
【００３０】
反転壁部を、周溝の内側の壁部分から平坦壁部にかけての部分としたものにあっては、反転壁部を、周溝の内側の壁部分だけではなく、これに隣接する平坦壁部部分まで延長することにより、反転壁部自体の反転変形が行ない易くなり、かつ陥没壁部と平坦壁部とから成る内側部分の陥没変位量を大きくすることができ、これにより円滑で大きな減圧吸収動作を得ることができる。
【００３１】
脚壁部の接地面である下面と、平坦壁部の下面との間に、内容液の重量作用による反転壁部の撓み変形に伴う、平坦壁部の下降変位寸法よりも大きい段差を設けたものにあっては、例え内容液の重量により反転壁部に撓み変形が発生したとしても、平坦壁部の下面が脚壁部の下面よりも下位に位置することがなく、これにより脚壁部の安定した「座」機能を発揮させることができて、内容液を充填してからキャップで密閉するまでの間、および開封して減圧が消滅した状態時に、壜体の安定した自立機能を得ることができるので、壜体の安全で安定した取扱を得ることができる。
【００３２】
陥没壁部に、放射状に等中心角毎に位置する複数の補強リブを設けたものにあっては、陥没壁部の耐熱性および耐内圧性を高めることができ、これにより機械的強度が充分ではない反転壁部に対する、陥没壁部側からの変形力の悪影響を殆ど無くすことができ、もって反転壁部による安定した減圧吸収動作を得ることができる。
【００３３】
円筒状の胴部に、複数の補強周溝を平行に周設したものにあっては、胴部を効果的に補強することができ、これにより胴部の保形性を高めることができ、よって壜体の手による、安定した掴持取扱いを得ることができる。
【発明を実施するための最良の形態】
【００３４】
以下、本発明の実施形態を、図面を参照しながら説明する。
【００３５】
図１は、本発明による２軸延伸ブロー成形された合成樹脂製壜体の第一の実施形態例を示す全体正面図で、壜体は、下端を底部１で塞いだ円筒状の胴部１１の上端に、肩部１３を介して、外周面に螺条とネックリングとを設けた口筒部１４を連設して構成されている。
【００３６】
この壜体は、容器としての主体部分である胴部１１を、充分な肉厚で成形するとか、図示実施形態例のように、複数（図示例の場合、６本）の補強周溝１２を並設して構成することにより、外観的に充分に高い保形性を有するものとなっている。
【００３７】
胴部１１の下端に連設された底部１（図２および図３参照）は、中央に位置して、胴部１１内に陥没したドーム状の陥没壁部２と、この陥没壁部２の外周端に、拡径した段部４を介して連設された平リング板状の平坦壁部５と、この平坦壁部５の外周端に、胴部１１内に陥没する周溝６を介して連設された平リング板状の脚壁部８と、この脚壁部８の外周端と胴部１１の下端とを連設する、湾曲して立ち上がった湾曲筒状に成形されたヒール壁部９と、から構成されている。
【００３８】
陥没壁部２の下面（内面）には、複数（図示例の場合、６本）の補強リブ３が、等中心角毎に放射状に設けられており、この補強リブ３を一体設することにより、陥没壁部２に比較的大きい延伸を与えることができ、また陥没壁部２の耐熱および耐内圧性を高めることになる。
【００３９】
段部４および平坦壁部５は、陥没壁部２と補強リブ３との組合せ部分に、２軸延伸ブロー成形時に発生する内部応力が、脚壁部８に影響するのを防止する部分であり、また底部１に作用する内圧を弾性的に受け止める部分でもある。
【００４０】
周溝６は、脚壁部８と平坦壁部５との境界部に沿って周設されているが、脚壁部８の下面（接地面）と平坦壁部５の下面との間には段差ｄがあるので、この周溝６の内側の壁部分は外側の壁部分に比べて、この段差ｄだけ高さ幅が小さいことになり、この高さ幅の小さい内側の壁部分が反転壁部７を形成している。
【００４１】
この反転壁部７は、その肉厚を、反転変形可能となる程度まで薄くしたものであるが、この反転壁部７の成形は、壜体に２軸延伸ブロー成形される一次成形品を成形する際に、この一時成形品を、予め設定された形態に肉厚コントロールして成形することにより達成される。
【００４２】
壜体内の減圧が大きくなると、この減圧力により反転壁部７が、略周溝６の底部分を基点として反転弾性変形し、図２に仮想線で示すように、内側部分（陥没壁部２、補強リブ３、段部４そして平坦壁部５）が胴部１１内に陥没変位し、この陥没変位により発生した減圧を吸収する。
【００４３】
また、この反転壁部７は、周溝６の内側の壁部分に制限されることはなく、この内側の壁部分に接続する平坦壁部５の外周端部を肉薄に成形し、この周溝６の内側の壁部分から平坦壁部５の外周端部にかけての部分を反転壁部７としても良い。
【００４４】
なお、脚壁部８と平坦壁部５との間に形成された段差ｄは、内容液の重量作用により反転壁部７が撓み変形し、この反転壁部の７の撓み変形により下降変位する平坦壁部５の変位寸法よりも大きい値に成形されており、これにより脚壁部８が安定した接地機能を発揮するようにしている。
【００４５】
また、周溝６の内側の壁部分を反転壁部７とし、周溝６の外側の壁部分を反転壁部７とならないように構成している場合には、反転壁部７は、平坦壁部５を下方に変位させる方向に変形することが殆どなく、このため段差ｄを、一般の減圧が発生する壜体における段差と同じ程度（０．５ｍｍ程度）とすることができる。
【００４６】
図４および図５は、本発明による壜体の第二の実施形態例を示すもので、図１から図３に示した第一の実施形態例の底部１に、横断溝１０を加えたものである。
【００４７】
横断溝１０は、脚壁部８からヒール壁部９にかけての部分に、放射状にそして等中心角毎に、８本設けられており、脚壁部８とヒール壁部９が形成する筒状部分に対して「割り溝」として作用する。
【００４８】
すなわち、横断溝１０を設けることにより、脚壁部８からヒール壁部９にかけての部分は、この横断溝１０にガイドされた状態で、わずかではあるが弾性変形し易くなり、これにより反転壁部７の反転変形動作が円滑なものとなり、また得られる減圧吸収量も、この脚壁部８からヒール壁部９にかけての部分の変形分だけ大きくすることができる。
【００４９】
また、横断溝１０により、脚壁部８からヒール壁部９にかけての部分が、わずかではあるが弾性変形し易くなることにより、この脚壁部８からヒール壁部９にかけての部分に、反転壁部７の反転変形に伴う変形力が、偏って集中作用することがなく、横断溝１０により略均等に分散されるので、例え脚壁部８に弾性変形が発生したとしても、この脚壁部８の適正な接地機能を維持することになる。
【図面の簡単な説明】
【００５０】
【図１】本発明の第一実施形態例を示す、全体正面図である。
【図２】図１に示した第一実施形態例の、底部の拡大縦断面図である。
【図３】図１に示した第一実施形態例の、底部の拡大底面図である。
【図４】本発明の第二実施形態例を示す、全体正面図である。
【図５】図４に示した第二実施形態例の、底部の底面図である。
【符号の説明】
【００５１】
１  ；  底部
２  ；  陥没壁部
３  ；  補強リブ
４  ；  段部
５  ；  平坦壁部
６  ；  周溝
７  ；  反転壁部
８  ；  脚壁部
９  ；  ヒール壁部
１０；  横断溝
１１；  胴部
１２；  補強周溝
１３；  肩部
１４；  口筒部
ｄ  ；  段差
【図１】
0004725889.tif 000002
【図２】
0004725889.tif 000003
【図３】
0004725889.tif 000004
【図４】
0004725889.tif 000005
【図５】
0004725889.tif 000006